(57)【要約】【課題】安価にエネルギーとものを配る（ディストリビュートする）システム【解決手段】エネルギー摂取と物流を改善する。【選択図】図１
2007135383.tif 000002
【特許請求の範囲】
【請求項１】
図面、要約書、明細書によって示唆されることを特徴とする、エコロジカル・システム。
【請求項２】
請求項１において、図面、要約書、明細書によって示唆さることを特徴とする、ビジネス・システム。
【請求項３】
請求項１、２において、図面、要約書、明細書によって示唆さることを特徴とする、プロセス発明。
【発明の詳細な説明】
【技術分野】
【０００１】  流れ、エネルギー流、物流とその関連の分野。
【背景技術】
【０００２】  物流システム。
【発明の開示】
【発明が解決しようとする課題】
【０００３】吉野  一虎の愛による、愛、精神、ニード、シーズ、物流、エネルギー、衣食住、医療、衛生管理、政治、政府、民間、バランス、割合、シェア、マーケット、教育、センサー、制御、コントロール、システム、環境の改善を目的として、平均して、より多くの人々、サイボーグ、バイオノイド、ロボット、生命体、マシーン、エコノミー、エネルギー、システム、エンティティーがより良い生活／より効率の高い機能・駆動を営むことを目的とする。
【課題を解決するための手段】
【０００４】吉野  一虎による愛、精神、ニード、シーズ、物流、エネルギー、衣食住、医療、衛生管理、政治、政府、民間、バランス、割合、シェア、マーケット、教育、センサー、制御、コントロール、システム、環境の定義／理論を用い、平均して、より多くの人々、サイボーグ、バイオノイド、ロボット、生命体、マシーン、エコノミー、エネルギー、システム、エンティティーがより良い生活／より効率の高い機能・駆動を営む。
ここで、吉野  一虎による愛とは、世界中の人々が愛を持って、平和を創生／維持することである。
ここで、吉野  一虎による精神とは、上記平和を創生／維持することをサポートする精神である。
ここで、吉野  一虎によるニードとは、上記平和を創生／維持することをサポートするのに必要なものである。
ここで、吉野  一虎によるシーズとは、上記平和を創生／維持することをサポートする際、可能な能力である。
ここで、吉野  一虎による物流とは、上記平和を創生／維持することをサポートする際、もの（サービスも含む）の流れである。
ここで、吉野  一虎によるエネルギーとは、上記平和を創生／維持することをサポートする際のヒカリ（愛、太陽光も含む）である。
ここで、吉野  一虎によるシステムとは、上記平和を創生／維持することをサポートする際、あると意味を有する要素の（プラス／マイナスといったものによる）集合体・総和である。
ここで、吉野  一虎によるセンサーとは、上記平和を創生／維持することをサポートする際、必要な情報を入手するための手段である。
ここで、吉野  一虎による制御／コントロールとは、上記平和を創生／維持することをサポートする際、上記システムを適宜に運用する／機能させるための手段である。
ここで、吉野  一虎による衣食住とは、上記平和を創生／維持することをサポートする際、一人一人が生きるうえで、必要な上記ニードを少なくとも満たすものである。
ここで、吉野  一虎による医療とは、上記平和を創生／維持することをサポートする際、一人一人が生きるうえで、健康上必要な上記ニードを少なくとも満たしてないとき、少なくとも満たすようにオペレート／癒すことである。
ここで、吉野  一虎による衛生管理とは、上記平和を創生／維持することをサポートする際、健康状態を維持できるようなシステムをコントロールすることである。
ここで、吉野  一虎による政治とは、吉野  一虎  宇宙・世界政府の平和を創生／維持することをサポートすることである。
ここで、吉野  一虎による政府とは、吉野  一虎  宇宙・世界政府の平和を創生／維持することをサポートするグループのことである。
ここで、吉野  一虎による民間とは、上記平和を創生／維持することをサポートする人々／グループのことである。
ここで、吉野  一虎によるバランスとは、上記平和を創生／維持することをサポートする際の、パワー均衡のことである。
ここで、吉野  一虎によるシェアとは、上記平和を創生／維持することをサポートする際、適宜に分布した割合である。
ここで、吉野  一虎によるマーケットとは、上記平和を創生／維持することをサポートする際、ニードの存在する現実的／潜在的な場である。
ここで、吉野  一虎による教育とは、上記平和を創生／維持することをサポートする際、子供達、大人達、老若男女を含め、より良い上記平和を創生／維持することをサポートするように、協力する／働きかけることである。
ここで、吉野  一虎による環境とは、上記平和を創生／維持することをサポートする際に必要な場である。
ここで、吉野  一虎による健康とは、上記平和を創生／維持することをサポートする際の肉体的、精神的、社会的な健全性である。
【発明の効果】
【０００５】平均して、食べ物がある確立が上がる。平均して仕事がある確立が上がる。平均して、より多くの人々、サイボーグ、バイオノイド、ロボット、生命体、マシーン、エコノミー、エネルギー、システム、エンティティーがより良い生活／より効率の高い機能・駆動を営む。
（先端を行くものたちは、より大変な生活になるという可能性もあるので要注意。）
【発明の実施する最良の形態】
【０００６】【０００６】  吉野  一虎  宇宙・世界政府  （Ｙ．Ｕ．）、吉野一虎宇宙国際通貨機構（Ｋ＆Ａ）、信、クリスタル、吉野一虎宇宙アカデミー、世界の人々、友子、国際連合、エネルギー業界、政府、エネルギー会社、ＩＥＡ、連合軍、アシュリー、トップ・ビジネス・ピープル、エネルギー調査団、レベッカ、軍、銀河宇宙軍、空軍、海軍、陸軍、ナショナル・ガード、警察、セキュリティー・ピープル、ＵＳ  Ｄｅｐａｒｔｍｅｎｔ  ｏｆ  Ｅｎｅｒｇｙ、Ｒｕｓｓｉａｎ  Ａｃａｄｅｍｙ  ｏｆ  Ｓｃｉｅｎｃｅ、科学技術庁、科学アカデミー、エミリー、ナタリー、アヤ、アイ、トップ・科学者連、Ａｐｅｃ、Ｅ．Ｕ．、Ｏｐｅｃ（Ａ．ｕ．）、国、日本、オランダ、ＷＴＯ、Ｕ．Ｓ．、Ｒｕｓｓｉａ．、ＦＴＡ、Ｔｏｋｙｏ、Ｎｏｒｗａｙ、Ｎ．Ｙ．、Ｓｗｅｄｅｎ、Ｆｉｎｌａｎｄ、Ｇｅｒｍａｎｙ、Ｐａｒｉｓ、Ｍｏｌｄｏｖａ、Ｌｏｎｄｏｎ、Ｓｐａｉｎ、Ｆｒａｎｃｅ、Ｉｔａｌｙ、、サウジアラビア、ハンガリー、トルコ、ドバイ、オーストラリア、ハワイ、台湾、韓国、北朝鮮、中国、行政、立法、司法、宗教、政党、知財権管理団体、民間、財団、社団、エネルギー関連の社団、タイガー、ガイア、レオパルド、トリトン、ポセイドン、イルカ、企業、郵便局、（公序良俗違反につき、不掲載）ハト、象、鯨、鷹、鷲、猫、航空会社、船舶業界、電気会社団、自動車会社、石油会社、（公序良俗違反につき、不掲載）筑波、愛知、（公序良俗違反につき、不掲載）Ｕｎｉｏｎ、（公序良俗違反につき、不掲載）バイオ・テクノロジー関連、医療関連、（公序良俗違反につき、不掲載）グループ、（公序良俗違反につき、不掲載）メージャー、石油メージャー、（公序良俗違反につき、不掲載）ロイヤル・ファミリー、天皇家、（公序良俗違反につき、不掲載）通信業界、マニュファクチャー、（公序良俗違反につき、不掲載）銀行、（公序良俗違反につき、不掲載）金融機関、（公序良俗違反につき、不掲載）食品業界、食物業界、衛星管理業界、マスター・カード、医療業界、繊維業界、飲食業界、ＯＳ企業、ＩＴ企業、放送企業、建築業界、不動産業界、投資グループ、（公序良俗違反につき、不掲載）ミューチュアル・ファンド、（公序良俗違反につき、不掲載）印刷業界、携帯電話企業、（公序良俗違反につき、不掲載）・グループ、化学企業、コンピューター企業、エンターテインメント・ビジネス、ビジネスマン、クリスティーナ、神奈川、埼玉、（公序良俗違反につき、不掲載）ユリカモメ、北海道、ニュース界、サービス業、宣伝業、芸能界、労働者、生産者、科学者、エンジニア、医者、弁護士、サラリーマン、サラリー・ピープル、ミュージック・連合、大学、ラボ、エネルギーの会社、その他の団体・グループ（これらは、表現上の比喩も含む）の適宜なグループ／コンビネーションが、少なくともＮ年間（Ｎ＝１０から３０くらいが一般解）の未来の消費エネルギーと人口を予測する。ここで、人口とは、上記のエンティティー（人々、サイボーグ、バイオノイド、生命体、マシーン、エコノミー、エネルギー、システム、エンティティーの適宜な選択若しくはコンビネーション）に入るものを物理的に表現したものである。この際、本当に平和を求めて、一虎のためにな���ならば、吉野システムの導入も不可能ではないが、トップ・レベルのグループにのみ、適宜なレベルのアクセスが可能。---------------------------------------------------------------
【０００７】  次に、人口とエネルギーの比率を計算する。特に、人々と単位人における、総和のエネルギー消費量を単位人エネルギー消費量とする。又、人々と単位人における、単位時間におけるエネルギー消費量を、単位時間単位人エネルギー消費量とする。同様に、一般には、単位エンティティー・エネルギーと定義する。
【０００８】  このとき、善・全エネルギー総生産量は、単位人エネルギーの総和よりも大きいべきである。単位あたりのエネルギー総生産量は、単位時間単位エンティティー・エネルギーの総和よりもおおいべきである。
【０００９】  ２０３０年での消費エネルギー２００５年の１．７倍であるとＩＥＡが発表したが、ここで、石油・天然資源の採掘に＄１７トリリオンの投資が必要であると言っている。これが達成されれば、世界で、エネルギーの不足がなくなり、エネルギーを消費しても物流による、局部的な余分生産を、他の局部的な物資の不足（不足生産）を補うことができて、平均して、衣食住（生活水準最低限度指数）が上がる。これに、吉野  一虎  ニード理論を当てはめると、より、物価が下がり、生活が楽になる、はず。が、投資を集めるために、石油、天然資源の値上がりも起きる可能性はあるので、要注意。
そこで、安全のための対策として、他の手段も考慮する。
１．  水力発電
２．  風力発電
３．  火力発電
４．  知力発電
５．  熱力発電
６．  原子力発電
７．  核融合発電
８．  太陽発電
９．  バイオマス・エネルギー生産（発電）（バイオマスからのメタン、石油の生産、バクテリアを使った軽油の生産）
１０．    宇宙衛星発電、ヒカリ発電、熱発電、宇宙船発電、宇宙線発電
１１．    超弦力発電
１２．    Ｍ力発電
１３．    愛・発電
といったものが考えられる。ここで、バイオマスは、アメリカのような広大な土地を所有する国にあっていて、ソーラー・パネル、ソーラー・シングル、柔らかいソーラー・フィルムは、日本のような技術の国に向いている。ロシア、Ｏｐｅｃは石油発掘、中国は天然ガスといったのも選択の一つである。ＥＵは、クリーンエネルギーとその奨励。
ＣＯ２発生を抑えるのには、太陽のエネルギーからの発電が向いている。光合成を１０％から６０％として計算すると、石油依存に対して十分にエネルギー・免疫となる。
太陽エネルギー／核エネルギー／超弦エネルギー／物理エネルギー／物理量／科学量に対して、認識を高め、それを吉野と人々にとって、良いものに変換するパワーがいる。
【図面の簡単な説明】
【００１０】
【図１】
2007135383.tif 000003
【図１】
2007135383.tif 000004